(57)【要約】【課題】踏み台を収納することができる上、ラックに物品を吊り下げる機能を得ることもできる収納型トレッドミルを提供する。【解決手段】収納型トレッドミル１０は、踏み台２０及び収納部３０を備える。踏み台２０には、回転可能なベルトコンベア２１が掛け渡される。収納部３０は、踏み台２０が枢着された２つの側板３３を含み、側板３３のそれぞれは、一端が底板３１に堅固に接続され、底板３１に対向して配置された天板３２を有し、引き起こされた踏み台２０を収納する収納空間が２つの側板３３、底板３１及び天板３２により画成されている。収納部３０は、天板３２、底板３１及び２つの側板３３にそれぞれ接続された裏板３５を含む。裏板３５は、収納空間の２つの開口のうちの１つを封止し、引き起こされた踏み台２０に対向した箇所に配置される。【選択図】図１
0003174537.tif 000002
【実用新案登録請求の範囲】
【請求項１】
踏み台及び収納部を備える収納型トレッドミルであって、
前記踏み台には、回転可能なベルトコンベアが掛け渡され、
前記収納部は、前記踏み台が枢着された２つの側板を含み、前記側板のそれぞれは、一端が底板に堅固に接続され、前記底板に対向して配置された天板を有し、引き起こされた前記踏み台を収納する収納空間が前記２つの側板、前記底板及び前記天板により画成されていることを特徴とする収納型トレッドミル。
【請求項２】
前記収納部は、前記天板、前記底板及び前記２つの側板にそれぞれ接続された裏板を含み、
前記裏板は、前記収納空間の２つの開口のうちの１つを封止し、引き起こされた前記踏み台に対向した箇所に配置されることを特徴とする請求項１に記載の収納型トレッドミル。
【請求項３】
前記収納部には、前記底板により支持板が接続され、
前記支持板と前記踏み台との間には、前記踏み台を引き起こす際に傾倒することを防ぐ気圧シリンダが取り付けられていることを特徴とする請求項２に記載の収納型トレッドミル。
【請求項４】
前記収納部の前記２つの側板の間には、制御ユニットと、前記収納部の構造強度を高める少なくとも１つの補強梁と、が設けられていることを特徴とする請求項２又は３に記載の収納型トレッドミル。
【請求項５】
前記側板の外側面には、握り部材が枢着されていることを特徴とする請求項４に記載の収納型トレッドミル。
【請求項６】
前記側板の外側面には、前記握り部材を横向き状態に維持する固定座が堅固に固定されることを特徴とする請求項５に記載の収納型トレッドミル。
【請求項７】
前記側板の外側面には、少なくとも１つのハンガー部が堅固に固定されることを特徴とする請求項４に記載の収納型トレッドミル。
【請求項８】
前記側板の外側面には、ボックスが堅固に固定されることを特徴とする請求項４に記載の収納型トレッドミル。
【請求項９】
前記支持板の縁部には、１対のローラが取り付けられていることを特徴とする請求項３に記載の収納型トレッドミル。
【請求項１０】
前記支持板の底面には、１組のパッドが取り付けられていることを特徴とする請求項３に記載の収納型トレッドミル。
【考案の詳細な説明】
【技術分野】
【０００１】
本考案は、トレッドミル装置の収納技術に関し、特に、トレッドミルを収納することが可能な収納型トレッドミルに関する。
【背景技術】
【０００２】
従来のトレッドミルの構造は、踏み台に回転可能なベルトコンベアが掛け渡され、ユーザはベルトコンベアの上で、例えば、歩いたり走ったり運動することができる。踏み台はメインフレームに枢着され、使用していないときに引き起こして占有空間を小さくすることができる。
【０００３】
しかし、メインフレームと踏み台との間に夾角が形成されて傾いているため、その近くを通る者が心理的圧迫を感じたり、部屋の内装とのバランスが崩れる虞がある。これら従来技術の問題に鑑み、トレッドミルの踏み台を収納する技術が特許文献１及び特許文献２において開示されている。
【０００４】
特許文献１では、メインフレームは、枢軸構造により踏み台の前端部が接続され、枢軸を軸心として踏み台を起こしてメインフレームに密着させると立設状態にすることができる。メインフレームは、組み合わせた後に踏み台より低くなり、メインフレーム内にハンドルが設けられた制御パネルを収納する収納空間が設けられている。
【０００５】
特許文献２では、支持フレームと１対の固定フレームとが組み合わされた踏み台をソファー構造内に隠す技術が開示されている。支持フレームは、対応した固定フレームに一端が堅固に固定され、支持フレームに収納する握り杆が他端に枢着され、その外周がソファー構造の背凭れにより覆われている。２つの固定フレーム間には、２つの接続構造体が接続され、接続構造体を軸心として用い、互いに重ねてソファー構造であるシート内に挿入する。各固定フレームは、１対のローラを有し、連続したベルトコンベアがローラの外側に掛け渡されている。
【０００６】
使用する際は、ソファー構造のシートと背凭れとを外し、２つの積層した固定フレームを展開して平らにし、ベルトコンベアの内面をローラにより所定張力で保持し、ユーザは支持フレームに向かってベルトコンベア上で走ったり歩いたり運動することができる。また、必要な場合、支持フレームの握り杆を強く握ることもできる。
【先行技術文献】
【特許文献】
【０００７】
【特許文献１】台湾実用新案登録第２５８７５６号公報
【特許文献２】台湾実用新案登録第４０９８５６号公報
【考案の概要】
【考案が解決しようとする課題】
【０００８】
本考案は、踏み台を収納することができる上、ラックに物品を吊り下げる機能を得ることもできる収納型トレッドミルを提供することを課題とする。
【課題を解決するための手段】
【０００９】
上記課題を解決するために、本考案の第１の形態によれば、踏み台及び収納部を備える収納型トレッドミルであって、前記踏み台には、回転可能なベルトコンベアが掛け渡され、前記収納部は、前記踏み台が枢着された２つの側板を含み、前記側板のそれぞれは、一端が底板に堅固に接続され、前記底板に対向して配置された天板を有し、引き起こされた前記踏み台を収納する収納空間が前記２つの側板、前記底板及び前記天板により画成されていることを特徴とする収納型トレッドミルが提供される。
【００１０】
前記収納部は、前記天板、前記底板及び前記２つの側板にそれぞれ接続された裏板を含み、前記裏板は、前記収納空間の２つの開口のうちの１つを封止し、引き起こされた前記踏み台に対向した箇所に配置されることが好ましい。
【００１１】
前記収納部には、前記底板により支持板が接続され、前記支持板と前記踏み台との間には、前記踏み台を引き起こす際に傾倒することを防ぐ気圧シリンダが取り付けられていることが好ましい。
【００１２】
前記収納部の前記２つの側板の間には、制御ユニットと、前記収納部の構造強度を高める少なくとも１つの補強梁と、が設けられていることが好ましい。
【００１３】
前記側板の外側面には、握り部材が枢着されていることが好ましい。
【００１４】
前記側板の外側面には、前記握り部材を横向き状態に維持する固定座が堅固に固定されることが好ましい。
【００１５】
前記側板の外側面には、少なくとも１つのハンガー部が堅固に固定されることが好ましい。
【００１６】
前記側板の外側面には、ボックスが堅固に固定されることが好ましい。
【考案の効果】
【００１７】
本考案の収納型トレッドミルは、踏み台を収納することができる上、ラックに物品を吊り下げる機能を得ることもできる。
【図面の簡単な説明】
【００１８】
【図１】本考案の一実施形態による収納型トレッドミルを使用する前の状態を示す斜視図である。
【図２】本考案の一実施形態による収納型トレッドミルの使用状態を示す斜視図である。
【図３】本考案の一実施形態による収納型トレッドミルの制御ユニットを使用するときの状態を示す側面図である。
【図４】本考案の一実施形態による収納型トレッドミルを使用していないときの状態を示す斜視図である。
【考案を実施するための形態】
【００１９】
以下、本考案の収納型トレッドミルの実施形態について、図面を参照しながら説明する。
【００２０】
図１及び図２を参照する。図１及び図２に示すように、本考案の一実施形態による収納型トレッドミル１０は、少なくとも踏み台２０と、踏み台２０に掛け渡されてユーザが上面で運動を行うベルトコンベア２１と、から構成される。踏み台２０の前端部２２は、収納部３０に枢着され、その終端部２３には、支持面（例えば、地面、床など）に接触する架台２４が踏み台２０の底部へ堅固に固定され、踏み台２０を所定の高さに維持する。
【００２１】
図１及び図２に示すように、収納部３０の矩形状の裏板３５は、底板３１、天板３２及び２つの側板３３が周囲に接続されて踏み台の体積より大きな収納空間が画成され、４つのコーナー部材３４がそれぞれの角に堅固に接続され、裏板３５により収納空間の２つの開口のうちの１つが封止されている。
【００２２】
底板３１と支持板３６とはコーナー部材３４により接続される。支持板３６と踏み台２０との間には、気圧シリンダ３７が取り付けられ、踏み台２０が展開されると気圧シリンダ３７の全長が短くなる。
【００２３】
２つの側板３３には、ヒンジ構造４０がそれぞれ設けられている。これらヒンジ構造４０により、踏み台２０の前端部２２がそれぞれ支持されて底板３１に接触しないように空中に吊り下げられた状態となる。２つの側板３３間には、制御ユニット４１と、収納部３０の構造強度を高める２つの互いに平行な補強梁４２とが取り付けられている。２つの側板３３の外側面には、握り部材４３、固定座４４、ハンガー部４５及びボックス４６がそれぞれ取り付けられている。各握り部材４３は、側板３３に枢着され、常態で立設されているが、必要に応じて側板３３に堅固に固定された固定座４４に接触するまで移動させ、握り部材４３が横向きにされたときに板の外側に一部が露出されるため、ユーザが便利に握ることができるとともに、握り部材４３に取り付けたセンサー４７をオンすることもできる。同時に、側板３３の外側面へ堅固に固定したハンガー部４５に衣類又はその他の物を吊下げることができるようにするとともに、ボックス４６に小さな部品を収納することもできるため、収納した部品などを容易に探すことができるとともに紛失を防ぐこともできる。
【００２４】
図３を参照する。図３に示すように、制御ユニット４１は、側板３３に両側が枢着され、力を与えて起こすと裏板３５に当接されて踏み台内に収納することができる空間を有する。制御ユニット４１は、側板３３に堅固に接続された１組の杆体３８により傾いた状態に維持されているため、ユーザは制御ユニット４１に表示された各種データ又は画像を見ながら、容易に使用状況に応じて適宜制御することができる。
【００２５】
図４を参照する。図４に示すように、トレッドミル１０を使用しないときは、ヒンジ構造４０を軸心として踏み台２０が直立状態になるまで起こして終端部２３を収納部３０内に収納し、気圧シリンダ３７を延伸させて踏み台２０を起きた状態に固定し、傾倒することを防ぐ。また握り部材４３に力を加えて固定座４４から外れると立設状態になって架台２４がハンガー部４５のようになり、ハンガー部４５に物又は衣類を掛けることができる。
【００２６】
ここで、支持板３６の縁部には、収納部３０を容易に移動させることができるように、１対のローラ５０が堅固に固定されている。支持板３６の底面には、収納部３０が湿って損壊するなどの悪影響を受けないように１組のパッド５１が取り付けられている。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０  トレッドミル
２０  踏み台
２１  ベルトコンベア
２２  前端部
２３  終端部
２４  架台
３０  収納部
３１  底板
３２  天板
３３  側板
３４  コーナー部材
３５  裏板
３６  支持板
３７  気圧シリンダ
３８  杆体
４０  ヒンジ構造
４１  制御ユニット
４２  補強梁
４３  握り部材
４４  固定座
４５  ハンガー部
４６  ボックス
４７  センサー
４８  軸
５０  ローラ
５１  パッド
【図１】
0003174537.tif 000003
【図２】
0003174537.tif 000004
【図３】
0003174537.tif 000005
【図４】
0003174537.tif 000006